(57)【要約】【課題】多品種少量生産に適応して見積可能な生産管理プログラム及びこうした生産管理プログラムを記録した記録媒体を提供する。【解決手段】コンピュータ１は、品目情報データベース２、工程情報データベース３、品目情報及び工程情報に対応する第１の属性情報データベース４、第１の属性情報に対応する第２の属性情報データベース５、工程情報に対応する数式情報データベース６、工程実施機関の能力係数と工費レートを記録する工程実施機関情報データベース７、工程情報に対応する段取り時間データベース８、属性情報表示手段９、数式に属性情報を当てはめて標準工数を演算する標準工数演算手段１０、標準工数と、標準工数の工程実施機関の能力係数と、段取り時間とに基づいて能力工数を演算する能力工数演算手段１１、能力工数と、工費レートとに基づいて加工費を演算する加工費演算手段１２を備える。【選択図】図１
2009211502.tif 000002
【特許請求の範囲】
【請求項１】
電子計算機にインストールされて、製品の生産を管理する生産管理プログラムであって、
前記電子計算機に、
品目に関する情報を記録する品目情報記録機能と、
前記品目を生産する工程に関する情報を記録する工程情報記録機能と、
前記品目情報記録機能によって記録された品目情報及び前記工程情報記録機能によって記録された工程情報に対応する第１の属性に関する情報を記録する第１の属性情報記録機能と、
該第１の属性情報記録機能によって記録された第１の属性情報に対応する第２の属性に関する情報を記録する第２の属性情報記録機能と、
前記工程情報に対応する数式を記録する数式情報記録機能と、
前記工程情報記録機能によって記録された工程を実施する機関の能力係数と工費レートを記録する工程実施機関情報記録機能と、
前記工程情報記録機能によって記録された工程情報に対応する段取り時間を記録する段取り時間記録機能と、
前記品目情報記録機能によって記録された品目情報及び前記工程情報記録機能によって記録された工程情報が入力された場合、前記第１の属性情報記録機能によって記録された第１の属性情報が表示されると共に前記第２の属性情報記録機能によって記録された第２の属性情報が入力可能に表示される属性情報表示機能と、
該属性情報表示機能によって表示された属性情報が決定された場合、前記数式情報記録機能によって記録された数式から、決定された属性情報に対応する工程情報に基づいて数式を取得し、取得された数式に属性情報を当てはめて標準工数を演算する標準工数演算機能と、
該標準工数演算機能によって演算された標準工数と、前記工程実施機関情報記録機能によって記録されると共に演算された標準工数の工程を実施する機関の能力係数と、前記段取り時間記録機能によって記録されると共に演算された標準工数の工程情報に対応する段取り時間とに基づいて能力工数を演算する能力工数演算機能と、
該能力工数演算機能によって演算された能力工数と、前記工程実施機関情報記録機能によって記録されると共に演算された能力工数の工程を実施する機関の工費レートとに基づいて加工費を演算する加工費演算機能とを付与する
ことを特徴とする生産管理プログラム。
【請求項２】
前記属性情報は、選択入力で入力可能である
ことを特徴とする請求項１に記載の生産管理プログラム。
【請求項３】
電子計算機に、
品目に関する情報を記録する品目情報記録機能と、
前記品目を生産する工程に関する情報を記録する工程情報記録機能と、
前記品目情報記録機能によって記録された品目情報及び前記工程情報記録機能によって記録された工程情報に対応する第１の属性に関する情報を記録する第１の属性情報記録機能と、
該第１の属性情報記録機能によって記録された第１の属性情報に対応する第２の属性に関する情報を記録する第２の属性情報記録機能と、
前記工程情報に対応する数式を記録する数式情報記録機能と、
前記工程情報記録機能によって記録された工程を実施する機関の能力係数と工費レートを記録する工程実施機関情報記録機能と、
前記工程情報記録機能によって記録された工程情報に対応する段取り時間を記録する段取り時間記録機能と、
前記品目情報記録機能によって記録された品目情報及び前記工程情報記録機能によって記録された工程情報が入力された場合、前記第１の属性情報記録機能によって記録された第１の属性情報が表示されると共に前記第２の属性情報記録機能によって記録された第２の属性情報が入力可能に表示される属性情報表示機能と、
該属性情報表示機能によって表示された属性情報が決定された場合、前記数式情報記録機能によって記録された数式から、決定された属性情報に対応する工程情報に基づいて数式を取得し、取得された数式に属性情報を当てはめて標準工数を演算する標準工数演算機能と、
該標準工数演算機能によって演算された標準工数と、前記工程実施機関情報記録機能によって記録されると共に演算された標準工数の工程を実施する機関の能力係数と、前記段取り時間記録機能によって記録されると共に演算された標準工数の工程情報に対応する段取り時間とに基づいて能力工数を演算する能力工数演算機能と、
該能力工数演算機能によって演算された能力工数と、前記工程実施機関情報記録機能によって記録されると共に演算された能力工数の工程を実施する機関の工費レートとに基づいて加工費を演算する加工費演算機能とを付与する生産管理プログラムを記録した電子計算機読み取り可能な記録媒体。
【請求項４】
前記属性情報は、選択入力で入力可能である
請求項３に記載の記録媒体。
【発明の詳細な説明】
【技術分野】
【０００１】
本発明は生産管理プログラム及び記録媒体に関する。詳しくは、多品種少量生産に適した生産管理プログラム及び記録媒体に係るものである。
【背景技術】
【０００２】
多品種少量生産の増大に伴い、製造業者は、受注した際に、仕様が異なる製品の加工時間の算出や加工コストの見積に苦労している。
【０００３】
即ち、一般的に製品の仕様を決定する寸法や材質等の属性は、生産する製品に応じて決められているために、生産する製品が異なると仕様が異なることとなる。従って、生産する製品数が増加すれば属性数も増加することとなり、属性数は生産する製品数の数倍にもなるために、その数は莫大となる。なお、一般に生産する製品数は時間と共に増えて行くために、属性数も時間と共に増えて行くこととなる。
この様に、製品の仕様を決定する属性数は莫大であるが故に、生産する製品の属性を、見積や受注のシステムの入力画面に設けることは困難とされている。
【０００４】
上記の通り、生産する製品の属性を、見積や受注のシステムの入力画面に設けることが困難とされているが故に、製造業の担当者は、見積作業時に加工時間等の細かい計算については、わざわざ別途、電卓や表計算ソフト等を使用して計算せざるを得ないことが充分に考えられる。そして、見積作業に時間を要してしまうことで、迅速な対応が不充分となり、受注を逃してしまうことに繋がることも考えられる。
【０００５】
こうした問題に対応して製造業者の見積計算を支援すべく、部品の形状が記録された図形データと、図形データから部品の加工コストに関係するパラメータを抽出するパラメータ抽出部を設けた部品コスト見積システムが提案されており（例えば、特許文献１参照。）、特許文献１に記載の部品コスト見積システムでは、ＣＡＤで作成された図面情報を入力して、部品コストの算出を行っている。
【０００６】
【特許文献１】特開平５−２８２３３１号公報
【発明の開示】
【発明が解決しようとする課題】
【０００７】
しかしながら、特許文献１の部品コスト見積システムを用いた場合であっても、依然として、増大する属性数に充分には対応ができていなかったために、多品種少量生産に適応できていなかった。
【０００８】
本発明は、以上の点に鑑みて創案されたものであり、多品種少量生産に適応して見積を行なうことができる生産管理プログラム及びこうした生産管理プログラムを記録した記録媒体を提供することを目的とする。
【課題を解決するための手段】
【０００９】
上記の目的を達成するために、本発明の生産管理プログラムは、電子計算機にインストールされて、製品の生産を管理する生産管理プログラムであって、前記電子計算機に、品目に関する情報を記録する品目情報記録機能と、前記品目を生産する工程に関する情報を記録する工程情報記録機能と、前記品目情報記録機能によって記録された品目情報及び前記工程情報記録機能によって記録された工程情報に対応する第１の属性に関する情報を記録する第１の属性情報記録機能と、該第１の属性情報記録機能によって記録された第１の属性情報に対応する第２の属性に関する情報を記録する第２の属性情報記録機能と、前記工程情報に対応する数式を記録する数式情報記録機能と、前記工程情報記録機能によって記録された工程を実施する機関の能力係数と工費レートを記録する工程実施機関情報記録機能と、前記工程情報記録機能によって記録された工程情報に対応する段取り時間を記録する段取り時間記録機能と、前記品目情報記録機能によって記録された品目情報及び前記工程情報記録機能によって記録された工程情報が入力された場合、前記第１の属性情報記録機能によって記録された第１の属性情報が表示されると共に前記第２の属性情報記録機能によって記録された第２の属性情報が入力可能に表示される属性情報表示機能と、該属性情報表示機能によって表示された属性情報が決定された場合、前記数式情報記録機能によって記録された数式から、決定された属性情報に対応する工程情報に基づいて数式を取得し、取得された数式に属性情報を当てはめて標準工数を演算する標準工数演算機能と、該標準工数演算機能によって演算された標準工数と、前記工程実施機関情報記録機能によって記録されると共に演算された標準工数の工程を実施する機関の能力係数と、前記段取り時間記録機能によって記録されると共に演算された標準工数の工程情報に対応する段取り時間とに基づいて能力工数を演算する能力工数演算機能と、該能力工数演算機能によって演算された能力工数と、前記工程実施機関情報記録機能によって記録されると共に演算された能力工数の工程を実施する機関の工費レートとに基づいて加工費を演算する加工費演算機能とを付与することを特徴とする。
【００１０】
ここで、品目情報記録機能によって記録された品目情報及び工程情報記録機能によって記録された工程情報に対応する第１の属性に関する情報を記録する第１の属性情報記録機能や、第１の属性情報記録機能によって記録された第１の属性情報に対応する第２の属性に関する情報を記録する第２の属性情報記録機能によって、仕様を体系化することができるため、生産する品目が変わっても対応できる。
【００１１】
また、本発明の生産管理プログラムにおいて、属性情報は、選択入力で入力可能である場合、プログラムの使用者が、どのような属性情報があるか覚えていなくても、選択肢として属性情報が列挙され、その中から選択することができる。
【００１２】
また、上記の目的を達成するために、本発明の記録媒体は、電子計算機に、品目に関する情報を記録する品目情報記録機能と、前記品目を生産する工程に関する情報を記録する工程情報記録機能と、前記品目情報記録機能によって記録された品目情報及び前記工程情報記録機能によって記録された工程情報に対応する第１の属性に関する情報を記録する第１の属性情報記録機能と、該第１の属性情報記録機能によって記録された第１の属性情報に対応する第２の属性に関する情報を記録する第２の属性情報記録機能と、前記工程情報に対応する数式を記録する数式情報記録機能と、前記工程情報記録機能によって記録された工程を実施する機関の能力係数と工費レートを記録する工程実施機関情報記録機能と、前記工程情報記録機能によって記録された工程情報に対応する段取り時間を記録する段取り時間記録機能と、前記品目情報記録機能によって記録された品目情報及び前記工程情報記録機能によって記録された工程情報が入力された場合、前記第１の属性情報記録機能によって記録された第１の属性情報が表示されると共に前記第２の属性情報記録機能によって記録された第２の属性情報が入力可能に表示される属性情報表示機能と、該属性情報表示機能によって表示された属性情報が決定された場合、前記数式情報記録機能によって記録された数式から、決定された属性情報に対応する工程情報に基づいて数式を取得し、取得された数式に属性情報を当てはめて標準工数を演算する標準工数演算機能と、該標準工数演算機能によって演算された標準工数と、前記工程実施機関情報記録機能によって記録されると共に演算された標準工数の工程を実施する機関の能力係数と、前記段取り時間記録機能によって記録されると共に演算された標準工数の工程情報に対応する段取り時間とに基づいて能力工数を演算する能力工数演算機能と、該能力工数演算機能によって演算された能力工数と、前記工程実施機関情報記録機能によって記録されると共に演算された能力工数の工程を実施する機関の工費レートとに基づいて加工費を演算する加工費演算機能とを付与する生産管理プログラムを記録した電子計算機読み取り可能なものである。
【発明の効果】
【００１３】
本発明に係る生産管理プログラムによって、多品種少量生産に適応して見積を行なうことができる。
本発明に係る記録媒体によって、多品種少量生産に適応して見積を行なうことができる。
【発明を実施するための最良の形態】
【００１４】
以下、本発明の実施の形態について図面を参照しながら説明し、本発明の理解に供する。
図１は、本発明を適用した生産管理プログラムがインストールされたコンピュータを説明する概略図である。図１において、本発明の生産管理プログラムがインストールされたコンピュータ１は、品目に関する情報を記録する品目情報データベース２と、品目を生産する工程に関する情報を記録する工程情報データベース３と、品目情報データベース２に記録された品目情報及び工程情報データベース３に記録された工程情報に対応する第１の属性に関する情報を記録する第１の属性情報データベース４と、第１の属性情報データベースに記録された第１の属性情報に対応する第２の属性に関する情報を記録する第２の属性情報データベース５と、工程情報に対応する数式を記録する数式情報データベース６と、工程情報データベース３に記録された工程を実施する機関の能力係数と工費レートを記録する工程実施機関情報データベース７と、工程情報データベース３に記録された工程情報に対応する段取り時間を記録する段取り時間データベース８と、品目情報データベース２に記録された品目情報及び工程情報データベース３に記録された工程情報が入力された場合、第１の属性情報データベース４に記録された第１の属性情報が表示されると共に第２の属性情報データベース５に記録された第２の属性情報が入力可能に表示される属性情報表示手段９と、属性情報表示手段９によって表示された属性情報が決定された場合、数式情報データベース６に記録された数式から、決定された属性情報に対応する工程情報に基づいて数式を取得し、取得された数式に属性情報を当てはめて標準工数を演算する標準工数演算手段１０と、標準工数演算手段１０によって演算された標準工数と、工程実施機関情報データベース７に記録されると共に演算された標準工数の工程を実施する機関の能力係数と、段取り時間データベース８に記録されると共に演算された標準工数の工程情報に対応する段取り時間とに基づいて能力工数を演算する能力工数演算手段１１と、能力工数演算手段１１によって演算された能力工数と、工程実施機関情報データベース７に記録されると共に演算された能力工数の工程を実施する機関の工費レートとに基づいて加工費を演算する加工費演算手段１２とを備える。
また、図示していないが、コンピュータ１が情報の入力手段を備えていることは勿論である。
【００１５】
以下、「歯車」を生産する場合を例に挙げて説明する。
品目情報データベース２には、具体的には例えば「Ｘ０１」、「Ｙ０２」等の品目コードや、各品目コードに対応する「製品Ｘ０１」、「製品Ｙ０２」等の品名等が記録される。
【００１６】
また、工程情報データベース３には、具体的には例えば「Ｌ１」、「Ｌ２」、「Ｌ３」等の工程コードや、各工程コードに対応すると共に、品目情報データベース２に記録された各製品に対応する「切削」、「硬化」「検査」等の生産工程名、切削工程に対応する数式コード「０１」、硬化工程に対応する数式コード「０２」、検査工程に対応する数式コード「０３」、等が記録される。
【００１７】
また、第１の属性情報データベース４には、具体的には例えば、品目情報データベース２に記録された各製品に対応する「材質」等の属性種別、工程情報データベース３に記録された切削工程に対応する「歯幅」や「歯数」等の属性種別、工程情報データベース３に記録された硬化工程に対応する「処理方法」等の属性種別、工程情報データベース３に記録された検査工程に対応する「硬度」等の属性種別、各属性種別の入力方式について自由入力または、予め決められた規格を選択する選択入力どちらかの区分が記録される。
【００１８】
また、第２の属性情報データベース５には、具体的には例えば、第１の属性情報データベース４に記録された属性種別例えば「材質」に対応する「鉄」、「ステンレス」、「アルミニウム」等の属性、第１の属性情報データベース４に記録された属性種別例えば「処理方法」に対応する「焼入れ」、「焼きなまし」、「イオン窒化」、「叩き出し」等の属性、各属性に対応する属性値が記録される。
【００１９】
また、数式情報データベース６には、具体的には例えば、工程情報データベース３に記録された数式コード「０１」に対応する数式「（歯幅／（材質係数×５）×歯数）／６０」等が記録される。
【００２０】
また、工程実施機関情報データベース７には、具体的には例えば、工程情報データベース３に記録された切削工程に対応する工程実施機関コード「Ｋ０１」や「Ｋ０２」、工程情報データベース３に記録された硬化工程に対応する工程実施機関コード「Ｋ０３」、工程情報データベース３に記録された検査工程に対応する工程実施機関コード「Ｋ０４」、工程実施機関コード「Ｋ０１」に対応する工程実施機関名「切削機械０１」、工程実施機関コード「Ｋ０２」に対応する工程実施機関名「切削機械０２」、工程実施機関コード「Ｋ０３」に対応する工程実施機関名「炉」、工程実施機関コード「Ｋ０４」に対応する工程実施機関名「○○」（具体的な検査場所名）、工程実施機関「切削機械０１」の能力係数「１．２」と加工費レート「１５００」、工程実施機関「切削機械０２」の能力係数「１」と加工費レート「１０００」、工程実施機関「炉」の能力係数「１」と加工費レート「３０００」、工程実施機関「○○」（具体的な検査場所名）の能力係数「１」と加工費レート「４５００」等が記録される。
【００２１】
また、段取り時間データベース８には、具体的には例えば、工程情報データベース３に記録された切削工程に対応する段取り時間「０．５」、工程情報データベース３に記録された硬化工程に対応する段取り時間「０．４」、工程情報データベース３に記録された検査工程に対応する段取り時間「０」等が記録される。
【００２２】
図２は、本発明を適用した生産管理プログラムを用いた見積処理の流れを説明するフロー図であり、図３は、本発明を適用した生産管理プログラムがインストールされたコンピュータの表示画面の概略図である。
営業担当者等の原価見積者は、例えば歯車の受注時に、本発明を適用した生産管理プログラムがインストールされたコンピュータの入力手段によって、受注番号「Ｊ００１」、製品名「製品Ｘ０１」、品目に対応する第１の属性情報「材質」に対応する第２の属性情報「鉄」、数量「３」、納期「２００８／０８／２１」、得意先「ヨシダ商会」、製造工程である「切削工程」、「硬化工程」及び「検査工程」、切削工程に対応する第１の属性情報「歯幅」及び「歯数」それぞれに第２の属性情報「２００」及び「１２」、硬化工程に対応する第１の属性情報「熱処理時間」に第２の属性情報「８０」、検査工程に対応する第１の属性情報「硬度」に第２の属性情報「１．５」をそれぞれ入力する（ステップＳ１）。
【００２３】
ここで、品目に対応する第１の属性情報「材質」に対応する第２の属性情報「鉄」は選択入力され、「▼」をクリックすると、他の選択肢例えば「ステンレス」、「アルミニウム」等が表示される。また、第２の属性情報は、第１の属性情報を介して品目に対応しているので、品目に応じて選択肢も変わる。例えば、製品名「製品Ｘ０３」が入力されると、品目に対応する第１の属性情報「材質」に対応する第２の属性情報は「プラスチック」のみが選択肢として表示される。また、その他の第２の属性情報は自由入力されるが、選択入力であってもよい。
また、第１の属性情報は、品目や、品目の生産工程に対応しているので、品目や生産工程を入力すると、対応する第１の属性情報が表示される。
【００２４】
次に、入力内容を確認して「更新」ボタンをクリックすると、標準工数の演算が始まる（ステップＳ２）。即ち、例えば、ステップＳ１で入力された切削工程の標準工数を演算する場合、工程情報データベース３を検索して切削工程に対応する数式コード「０１」を取得し、数式コード「０１」に対応する数式が記録された数式情報データベース６を検索して、数式「（歯幅／（材質係数×５）×歯数）／６０」を取得する。そして、材質「鉄」の属性値「１．６」が第２の属性情報データベースから取得され、図３に示される入力した属性情報と共に数式「（歯幅／（材質係数×５）×歯数）／６０」に当てはめられ、（２００／（１．６×５）×１２）／６０＝５（時間）が標準工数として算出される。
なお、品目に対応する第１の属性情報「材質」に対応する第２の属性情報として「ステンレス」が選択された場合は、材質「ステンレス」の属性値「５」が第２の属性情報データベースから取得され、図３に示される、入力した属性情報と共に数式「（歯幅／（材質係数×５）×歯数）／６０」に当てはめられ、（２００／（１．６×５）×１２）／６０＝１．６（時間）が標準工数として算出される。
【００２５】
標準工数が算出されると、次に、能力工数の演算が始まる（ステップＳ３）。即ち、切削工程を実施した工程実施機関コードが「Ｋ０１」であれば、工程実施機関情報データベース７を検索して工程実施機関コード「Ｋ０１」に対応する工程実施機関名「切削機械０１」の能力係数「１．２」と加工費レート「１５００」を取得し、また、段取り時間データベース８を検索して、切削工程に対応する段取り時間を取得し、算出された標準工数５（時間）と、取得された工程実施機関名「切削機械０１」の能力係数「１．２」と、切削工程に対応する段取り時間「０．５」とに基づいて、式（０．５＋５）／１．２≒４．６（時間）より能力工数が算出される。
なお、切削工程を実施した工程実施機関コードが「Ｋ０２」であれば、工程実施機関コード「Ｋ０２」に対応する工程実施機関名「切削機械０２」の能力係数が「１」であるから、式（０．５＋５）／１＝５．５（時間）より能力工数が算出される。
【００２６】
そして、加工費演算が始まる（ステップＳ４）。即ち、算出された能力工数「４．６」と、取得された工程実施機関名「切削機械０１」の加工費レート「１５００」を掛け合わせて算出された値、即ち、４．６×１５００＝６９００（円）が、加工費となる。
このようにして、各工程の工数や加工費を算出する。
【００２７】
ここで、「歯車」を生産する場合を例に挙げて説明したが、他の製品を生産する場合でも本発明の生産管理プログラムを適用できることは勿論であると共に、他の製品を生産する場合には適宜、各種データベースの情報を変更できることも勿論である。
【００２８】
以上のように、本発明の生産管理プログラムは、品目や、品目の生産工程に対応した第１の属性情報と、第１の属性情報に対応する第２の属性情報を記録する機能を電子計算機に付与するので、仕様を体系化することができるため、生産する品目が変わっても対応でき、また、工数や加工費も演算する機能を電子計算機に付与するので、多品種少量生産に適応して見積を行なうことができる。
【００２９】
また、製品Ｘ０１に「材質」という第１の属性情報や、第１の属性情報に対応する「鉄」等の第２の属性情報が記録されているため、製品Ｘ０１にどのような属性があるか営業担当者等の原価見積者が知らなくても見積に必要な情報を入力でき、また、別の属性を入力してしまうような入力ミスもなくなる。
【００３０】
また、第２の属性情報は選択入力で入力可能であるため、営業担当者等の原価見積者がどのような属性情報があるか覚えていなくても、選択肢として属性情報が列挙され、その中から選択することができる。
【図面の簡単な説明】
【００３１】
【図１】本発明を適用した生産管理プログラムがインストールされたコンピュータを説明する概略図である。
【図２】本発明を適用した生産管理プログラムを用いた見積処理の流れを説明するフロー図である。
【図３】本発明を適用した生産管理プログラムがインストールされたコンピュータの表示画面の概略図である。
【符号の説明】
【００３２】
１    コンピュータ
２    品目情報データベース
３    工程情報データベース
４    第１の属性情報データベース
５    第２の属性情報データベース
６    数式情報データベース
７    工程実施機関情報データベース
８    段取り時間データベース
９    属性情報表示手段
１０    標準工数演算手段
１１    能力工数演算手段
１２    加工費演算手段
【図１】
2009211502.tif 000003
【図２】
2009211502.tif 000004
【図３】
2009211502.tif 000005